(57)【特許請求の範囲】
【請求項１】
先端に照明装置を有する光学機器に装着可能なアクセサリであって、
前記アクセサリが前記光学機器に装着された際に、前記光学機器に被写体からの光を導く開口部と、
前記アクセサリが前記光学機器に装着された際に、前記光学機器の光軸を含む断面において前記照明装置の発光部の幅よりも広い幅を有し、前記光学機器の光軸方向視において前記照明装置の発光部全体を覆い、前記発光部よりも被写体側に配置される光源遮光部と、を備える、
ことを特徴とするアクセサリ。
【請求項２】
前記アクセサリが前記光学機器に装着された際に前記光学機器の側面を覆う外壁部をさらに備える、
ことを特徴とする請求項１に記載のアクセサリ。
【請求項３】
前記外壁部の一部であって前記外壁部の前記開口部の側に設けられた第１の接続部と、
前記第１の接続部よりも前記開口部の側に設けられ、前記アクセサリを前記光学機器に装着するための第２の接続部と、を備え、
前記光源遮光部は、前記第１の接続部と前記第２の接続部との間にあるフランジ部であって、
前記アクセサリが前記光学機器に装着された際に、前記照明装置の発光部が前記第１の接続部と前記第２の接続部との間に位置し、前記フランジ部によって前記照明装置の発光部の全体が覆われるように構成されている、
ことを特徴とする請求項２に記載のアクセサリ。
【請求項４】
前記第１の接続部は第１のねじ部を有し、前記第２の接続部は第２のねじ部を有し、
前記第１のねじ部の径をφ１とし、前記第２のねじ部の径をφ２とし、前記光学機器の光軸を含む断面における前記照明装置の発光部の幅をＬ１とするとき、
φ１＞φ２
（φ１−φ２）／２＞Ｌ１
を満足する、
ことを特徴とする請求項３に記載のアクセサリ。
【請求項５】
前記第１のねじ部は雌ねじであり、
前記第２のねじ部は雄ねじである、
ことを特徴とする請求項４に記載のアクセサリ。
【請求項６】
前記第２の接続部は、前記アクセサリが前記光学機器に装着される際に前記第２のねじ部よりも先に前記光学機器に接し、表面が平坦な勘合部を有する、
ことを特徴とする請求項４または５に記載のアクセサリ。
【請求項７】
前記アクセサリが前記光学機器に装着された際の前記外壁部の前記光学機器の光軸方向の寸法は前記第２の接続部の前記光軸方向の寸法よりも大きい、
ことを特徴とする請求項３乃至６のいずれか一項に記載のアクセサリ。
【請求項８】
請求項１乃至７のいずれか一項に記載のアクセサリを装着可能であって、
先端に前記照明装置を備えることを特徴とする光学機器。
【請求項９】
前記照明装置は
光源と、
前記光源を前記光学機器の周方向及び光軸方向に導く導光部材と、
前記導光部材よりも前記先端側に設けられた拡散部材と、を備える、
ことを特徴とする請求項８に記載の光学機器。
【請求項１０】
前記光学機器は、ズーミングあるいはフォーカシングに際して隣接するレンズユニットとの間隔が変化するように構成されているレンズユニットを備えるレンズ装置である、
ことを特徴とする請求項８または９に記載の光学機器。
【発明の詳細な説明】
【技術分野】
【０００１】
本発明はアクセサリ及びこれを装着可能な光学機器に関する。
【背景技術】
【０００２】
近年、小さな被写体に近づいて撮影するマクロ撮影の際に照明光量が不足しないようにレンズ先端にストロボなどの照明装置を設けたレンズが特許文献１に記載されている。
【０００３】
特許文献１は、レンズ先端に装着可能なリング形状のストロボの前に複数の遮光部を設けた遮光板を回転可能に設け、遮光板を回転させて複数の発光部の一部を覆うことでストロボからの光量を調整することが可能な構成を開示している。
【先行技術文献】
【特許文献】
【０００４】
【特許文献１】特開平１０−２７４７９９号公報
【発明の概要】
【発明が解決しようとする課題】
【０００５】
ここで、先端に照明装置を設けたレンズを用いてガラス等の反射率の高い被写体をマクロ撮影すると、レンズ先端の照明装置が発光していなくても、照明装置の表面で反射した光が写真に写りこんでしまい、画質が劣化するおそれがある。
【０００６】
特許文献１が開示している構成では、遮光板を回転させることによって発光部の一部を覆うことができるが、発光部の全体を覆うことができないため、前述の画質の劣化を十分に抑制することができない。
【０００７】
そこで、本発明の目的は、レンズ先端に設けた照明装置による画質の劣化をより抑制することが可能なアクセサリ及びこれを装着可能な光学機器を提供することである。
【課題を解決するための手段】
【０００８】
上記課題を解決するために、本発明のアクセサリは、
先端に照明装置を有する光学機器に装着可能なアクセサリであって、
前記アクセサリが前記光学機器に装着された際に、前記光学機器に被写体からの光を導く開口部と、
前記アクセサリが前記光学機器に装着された際に、前記光学機器の光軸を含む断面において前記照明装置の発光部の幅よりも広い幅を有し、前記光学機器の光軸方向視において前記照明装置の発光部全体を覆い、前記発光部よりも被写体側に配置される光源遮光部と、を備える、
ことを特徴とする。
【発明の効果】
【０００９】
本発明によれば、レンズ先端に設けた照明装置による画質の劣化をより抑制することが可能なアクセサリ及びこれを装着可能な光学機器を提供することができる。
【図面の簡単な説明】
【００１０】
【図１】本実施例の撮像システムの断面図である。
【図２】図１に示す撮像システムのシステムブロック図である。
【図３】本実施例のＬＥＤライト部の分解斜視図である。
【図４】本実施例の撮像システムの撮影状態を表す図である。
【図５】本実施例の撮像システムの沈胴状態の断面図である。
【図６】本実施例の撮像システムの沈胴状態と撮影状態を表す図である。
【図７】本実施例のレンズフード表す図である。
【発明を実施するための形態】
【００１１】
以下に図面を参照して、この発明の好適な実施の形態を例示的に説明する。ただし、この実施の形態に記載されている構成部品の相対配置などは、この発明が適用される装置の構成や各種条件により適宜変更されるべきものである。すなわち、本発明は後述の実施の形態に限定されず、その要旨の範囲内で様々な変形及び変更が可能である。
【００１２】
以下に、本発明の実施の形態を添付の図面に基づいて詳細に説明する。
【００１３】
（レンズ装置及び撮像装置の構成）
図１は、交換レンズ２００（レンズ装置）とカメラ本体５００から構成される撮像装置（撮像システム）の断面図である。光軸方向に関して今後、図１の左側（前側）を物体側、右側（後ろ側）をセンサ側と記載する。
【００１４】
交換レンズ（レンズユニット）２００はカメラ本体５００に着脱可能に構成される光学機器である。カメラ本体５００は、本実施形態ではミラーレスカメラ（撮像装置）として構成されているが、一眼レフカメラとして構成されてもよい。また、本発明は、デジタルスチルカメラだけでなくデジタルビデオカメラ、レンズ一体型のカメラにも適用可能である。
【００１５】
交換レンズ２００は、被写体の光学像を形成する撮影光学系を有する。本実施例の交換レンズ２００は近接撮影が可能な、単焦点のマクロレンズである。非撮影状態時には後述の図５に示すように、レンズ全長を小さくしてコンパクトに持ち運べるように手動操作による沈胴機構を有している。そして、交換レンズ２００の先端には、主に近接撮影時に光量を確保する為のＬＥＤライト部（照明装置）が設けられている。ＬＥＤライト部の構成については図３を用いて後述する。
【００１６】
本実施形態の撮影光学系は、レンズユニットとして１群レンズ１、防振レンズ２、フォーカスレンズ３を有し、さらに、保護ガラス４および絞りユニット３４を有する。つまり、交換レンズ２００は、ズーミングあるいはフォーカシングに際して隣接するレンズユニットとの間隔が変化するように構成されているレンズユニットを備えるレンズ装置である。なお、本実施例においては保護レンズ４を設けた構成を例示したが、表面が平坦な保護レンズ４の代わりに２群レンズとして複数あるいは１枚のレンズを有するレンズユニットを設けてもよい。
【００１７】
５は１群レンズ１を保持する１群鏡筒である。防振レンズ２は光軸に垂直な方向に移動することで像ブレを補正し、防振装置８に保持されている。防振装置８は１群鏡筒５内に固定されている。なお、本実施例において１群レンズ１はズーミングあるいはフォーカシングに際して不動のレンズユニットである。
【００１８】
１１はメイン鏡筒であり、１群鏡筒５、絞りユニットはメイン鏡筒に固定されている。
１０はフォーカシングの際に交換レンズ２００の光軸方向に移動するフォーカスレンズ３を保持するフォーカス鏡筒であり、メイン鏡筒１１に設けられた案内機構、駆動機構によって光軸方向へ移動し、焦点調節を行う。絞りユニット３４は光量調節を行い、メイン鏡筒１１に固定される。
【００１９】
１４は案内筒（案内部材）であり、複数の（本実施形態では周方向に３箇所の光軸に平行な）案内溝が設けられている。１６は操作環であり、メイン鏡筒を沈胴状態から繰出す為のカム溝が設けられている。操作環１６は案内筒１４に対して、バヨネット結合により光軸方向の移動は規制され、回転可能に取り付けられている。メイン鏡筒１１は、操作環１６が回転すると、案内溝に沿ってメイン鏡筒１１に設けられたカムフォロアが摺動し光軸方向に移動する。なお、操作環１６には操作環１６を保護するカバーとして化粧環３５が接着されており、化粧環３５を回転させると操作環１６も回転する。
【００２０】
３１はレンズの駆動用ＩＣやマイコン等が配置されたプリント基板を示し、案内筒１４に固定されている。２７は外観リングであり、３２は樹脂成型で作られたマウントであり、マウント３２には保護ガラス４が取り付けられている。なお、マウント３２は案内筒１４にビス固定される。外観リング２７は案内筒１４とマウント３２に挟まれ固定される。１９はマニュアルフォーカス（ＭＦ）リングであり、案内筒１４を軸として回転可動に支持されている。ＭＦリング１９を回転させると、その回転を不図示のセンサが検出し、回転量に応じて手動の焦点調節を行う。
【００２１】
このような構成の交換レンズ２００はカメラ本体５００にマウント３２でバヨネット固定される。カメラ本体５００に交換レンズ２００がマウント３２で固定されると、各レンズの動作を制御するプリント基板３１は不図示の接点ブロックを通してカメラ本体５００と通信可能となる。
【００２２】
なお、６００はカメラ本体５００に搭載された撮像素子であり、撮影光学系が形成した光学像を光電変換するＣＭＯＳやＣＣＤ等の光電変換素子である。
【００２３】
（撮像装置の電気的構成）
図２は、撮像システムの電気的構成を示すブロック図である。
【００２４】
５０１はマイクロコンピュータにより構成されるカメラＣＰＵ（カメラ制御手段）であり、カメラ本体５００内の各部の動作を制御する。カメラＣＰＵ５０１は、交換レンズ２００の装着時に電気接点５０２，２０２を介して、交換レンズ２００のレンズＣＰＵ２０１（レンズ制御手段）と通信を行う。
【００２５】
カメラＣＰＵ５０１がレンズＣＰＵ２０１に送信する情報（信号）には、フォーカスレンズ３の駆動量情報、平行振れ情報およびピントずれ情報が含まれる。レンズＣＰＵ２０１からカメラＣＰＵ５０１に送信する情報（信号）には、撮像倍率情報が含まれる。電気接点５０２，２０２には、カメラ本体５００から交換レンズ２００に電源を供給するための接点が含まれている。
【００２６】
５０３は撮影者により操作可能な電源スイッチであり、カメラＣＰＵ５０１を起動したりカメラシステム内の各アクチュエータやセンサ等への電源供給を開始したりするためのスイッチである。
【００２７】
５０４は撮影者により操作可能なレリーズスイッチであり、第１ストロークスイッチＳＷ１と第２ストロークスイッチＳＷ２とを有する。レリーズスイッチ５０４からの信号は、カメラＣＰＵ５０１に入力される。カメラＣＰＵ５０１は、第１ストロークスイッチＳＷ１からのＯＮ信号の入力に応じて、撮影準備状態に入る。撮影準備状態では、測光部５０５による被写体輝度の測定と、焦点検出部５０６による焦点検出が行われる。カメラＣＰＵ５０１は、測光結果に基づいて絞りユニット３４の絞り値や撮像素子６００の露光量（シャッタ秒時）等を演算する。
【００２８】
カメラＣＰＵ５０１は、焦点検出部５０６による焦点検出結果（デフォーカス量およびデフォーカス方向）に基づいて、被写体に対する合焦状態を得るためのフォーカスレンズ３およびフォーカス鏡筒１０の駆動量（駆動方向を含む）を決定する。駆動量の情報（フォーカスレンズ駆動量情報）は、レンズＣＰＵ２０１に送信される。レンズＣＰＵ２０１は、交換レンズ２００の各構成部の動作を制御する。
【００２９】
カメラＣＰＵ５０１は、防振装置８による防振を制御する。また、第２ストロークスイッチＳＷ２からのＯＮ信号が入力されると、カメラＣＰＵ５０１は、レンズＣＰＵ２０１に絞り駆動命令を送信し、絞りユニット３４を介して絞り値を設定させる。更に、カメラＣＰＵ５０１は、露光部５０７に露光開始命令を送信し、不図示のミラーの退避動作や不図示のシャッタの開放を行わせ、撮像素子６００を含む撮像部５０８の露光を行わせる。
【００３０】
撮像部５０８（撮像素子６００）からの撮像信号は、カメラＣＰＵ５０１内の信号処理部にてデジタル変換され、各種補正処理が施されて画像信号として出力される。画像信号（データ）は、画像記録部５０９において、フラッシュメモリ等の半導体メモリ、磁気ディスク、光ディスク等の記録媒体に記録保存される。
【００３１】
２０４はＭＦリング回転検出部であり、ＭＦリング１９とその回転検出部とを含む。２０５は操作環回転検出部であり、操作環１６と化粧環３５とその回転検出を行う不図示のセンサとを含む。操作環回転検出部２０５は、操作環１６あるいは化粧環３５の回転角度から、交換レンズ２００が繰り出し状態（撮影状態）であるのか、あるいは沈胴状態（非撮影状態）であるのかを検出する。２０６は防振装置駆動部であり、防振動作を行う防振装置８の駆動アクチュエータとその駆動回路とを含む。
【００３２】
２０９はＡＦ駆動部であり、カメラＣＰＵ５０１から送信されたフォーカスレンズ駆動量情報に応じて不図示のＡＦモータを通じてフォーカス鏡筒１０のＡＦ駆動を行う。２０８は電磁絞り駆動部であり、カメラＣＰＵ５０１からの絞り駆動命令を受けたレンズＣＰＵ２０１により制御されて、絞りユニット３４を指定された絞り値に相当する開口状態に動作させる。
【００３３】
２１１は交換レンズ２００に搭載され、プリント３１に接続された角速度センサである。角速度センサ２１１は、カメラシステムの角度振れである縦（ピッチ方向）振れと横（ヨー方向）振れのそれぞれの角速度を示す角速度信号をレンズＣＰＵ２０１に出力する。
【００３４】
レンズＣＰＵ２０１は、角速度センサ２１１からのピッチ方向およびヨー方向の角速度信号を電気的又は機械的に積分して、それぞれの方向での変位量であるピッチ方向振れ量及びヨー方向振れ量（これらをまとめて角度振れ量ともいう）を演算する。
【００３５】
なお、至近距離での近接撮影（撮影倍率の高い撮影条件）では、平行振れによる像劣化も無視できなくなってくる。この場合は加速度を検出する加速度計を設け、この加速度計で平行振れを検出すると好ましい。
【００３６】
レンズＣＰＵ２０１は、角度振れ量と平行振れ量の合成変位量に基づいて防振装置駆動部２０６を制御して防振レンズ２をシフト駆動させ、角度振れ補正および平行振れ補正を行う。更に、レンズＣＰＵ２０１は、ピントずれ量に基づいてＡＦ駆動部２０９を制御してフォーカス鏡筒１０を光軸方向に駆動させ、焦点調節を行う。
【００３７】
検出手段からレンズＣＰＵ２０１へのズーム、フォーカス、防振動作などの検出信号や、レンズＣＰＵ２０１から各アクチュエータへの制御信号の通電はＦＰＣで行う。
【００３８】
２１３はＬＥＤライト部であり、２１２は後述のスイッチ３６に相当するＬＥＤスイッチである。ＬＥＤスイッチ２１２が押されるとレンズＣＰＵ２０１にその信号が送られて、押される度にＬＥＤライト部２１３の点灯状態が変化する。
【００３９】
（照明装置の構成）
次に、図３を用いてＬＥＤライト部（照明装置）の構成について説明する。図３はＬＥＤライト部の分解斜視図である。
【００４０】
図３において、２１はフィルター枠、２２は拡散板（拡散部材）、２３０はライトガイド（導光部材）、２４はカバー部材、２５はビス、２６はシート部材、２７０はＬＥＤ、２８はフレキシブルプリント基板である。
【００４１】
フィルター枠２１は前述のメイン鏡筒１１にビスで固定されており、フィルター枠２１の内周部には後述のレンズフード４０が有する第２のねじ部４０ａと嵌合するフィルターねじ２１ａが設けられている。なお、フィルターねじ２１ａの呼び径は拡散板２２の内周の径よりも小さい。なお、ここでいう呼び径とは雄ねじの場合にはねじ部の最大径であるねじ山部の径であり、雌ねじの場合にはねじ部の谷の径である。
【００４２】
拡散板２２はライトガイド２３０を介したＬＥＤ２７０からの光を拡散させるために、乳白色のアクリル材で形成されている。これはＬＥＤ２７０の配光特性や内部の見えを考慮して決められるものなので、その他の透明樹脂を使用したり、表面にシボを施したりしても構わない。なお、拡散板２２はフィルター枠２１に設けられた平面部２１ｂに接着材等で固着されている。
【００４３】
シート部材２６はウレタンやゴム等の柔らかい素材でできており、フィルター枠２１とカバー部材２４に出来た隙間を埋めるように両面テープによって固定される。完成状態ではフィルター枠２１とカバー部材２４でできた面と、１群鏡筒によってできた面にシート２６は挟み込まれて固定される。これによりＬＥＤ照明時に、光が内部に漏れるのを防止している。また、１群鏡筒５とフィルター枠２１の間をシート部材２６が埋めているので、ゴミや水滴の侵入を抑制することができる。
【００４４】
（近接撮影時の均一照明を実現する構成）
図３に示すように、本実施例においてはＬＥＤ２７０とライトガイド２３０が左右に２個ずつ配置されており、ＬＥＤ２７０はフレキシブルプリント基板２８に半田付けされ、フレキシブルプリント基板２８はプリント基板３１に接続される。フレキシブルプリント基板２８を介して、ＬＥＤ２７０が通電することによりＬＥＤ２７０が発光される。
【００４５】
ライトガイド２３０は透明なアクリル材でできており、撮像素子側の面２３０ａは白色に塗られている。ライトガイド２３０、ＬＥＤ２７０、フレキシブルプリント基板２８は図３に示すような位置関係を保ったまま、フィルター枠２１に設けられた凹部に撮像素子側から嵌め込まれる。その上からカバー部材２４をビス２５によってフィルター枠２１に固定する。これにより、ライトガイド２３０、ＬＥＤ２７０、フレキシブルプリント基板２８はフィルター枠２１とカバー部材２４に挟みこまれて固定される。
【００４６】
ＬＥＤ２７０からの光は図３の矢印に示すように、半円上のライトガイド２３０によって周方向に導光される。この際、先述したようにライトガイド２３０の面２３０ａは白色に塗られており、この白色部が照らされると２次光源となり、光が物体側に照射される。このようにすることで、ライトガイドの面２３０ａ全体が２次光源となり、前面に照射されるので単一の光源から前面に照射した場合よりも、均一に照射することができる。つまり、ライトガイド２３０は光源であるＬＥＤ２７０からの光を交換レンズ２００の周方向及び光軸方向に導く導光部材である。被写体が近い近接撮影時は、照射ムラになりやすいが、このような構成によって近接撮影時も均一に被写体を照射できる。
【００４７】
（照明装置の小型化を実現する構成）
拡散板２２、ライトガイド２３０、ＬＥＤ２７０で構成するＬＥＤユニット部は中空の円周状に形成されており、その内側にフィルターねじ２１ａが形成されている。このようにすることで、フィルターねじの外側にＬＥＤユニット部を形成することができる。つまり、フィルターねじ部が形成される光軸方向位置と、ＬＥＤユニットが形成される光軸方向位置を同じ位置にオーバラップして形成できるので、光軸方向の小型化に寄与する。
【００４８】
（光学機器の先端部の形状）
図４は近接撮影状態を表した図で、３６はＬＥＤスイッチ、４１は被写体、４２は被写体を置いている平面部を示している。本実施例の撮像装置１００は図４で表しているように、最短撮影距離が短く被写体に近接して撮ることができる。そのような状況では、レンズの先端側（本実施例ではフィルター枠２１）が平面部４２にぶつかって、被写体に近寄れなかったり、被写体に対して所望の角度で撮影ができなくなったりする可能性がある。
【００４９】
これに対して、本実施例では従来のようにフィルターねじをレンズの最も先端側の外周部に構成する必要がない。このため、レンズ先端部材であるフィルター枠２１は外周部の角を落とした斜面部を有し、先端に向かって窄まる形状を有している。さらに沈胴構造を採用することにより、外径部より一段細い外周面２１ｃが繰出す構造をしている。これらによって、後述のように線ｍの内側（撮像面側）にレンズをすべて構成することができている。
【００５０】
このような構成によって図４に示すように被写体により近寄り易くなり、より被写体に対して自由な角度から撮影可能となる。また、レンズの先端により被写体が陰になってしまうことも考えられるが、本実施例の形状では光の遮りを減らして、光を取り込み易い形状となっている。
【００５１】
また、ＬＥＤユニットの先端である拡散板２２を最も物体側に配置することでＬＥＤ照明の光路を妨げるものがないので、効率よく照明することが可能である。なお、保護フィルター等の光学フィルターをフィルターねじ２１ａに取り付けることができるが、本実施例はＬＥＤを覆うことなく光学フィルターを取り付けることができる。その為、光学フィルターを取り付けても、ＬＥＤの照明に影響がなく良好な照明状態を維持できる。
【００５２】
（沈動状態及び撮影状態）
本実施例で示す交換レンズ２００はいわゆる沈動タイプの交換レンズである。図５は本実施例の沈胴状態の断面図であり、図６は本実施例の沈胴状態（ａ）と撮影状態（ｂ）を側面側から見た図である。図５に示す各部品は図１に示した通りであるため、図５に関する詳細な説明は割愛する。
【００５３】
図６において、３８は最短撮影距離での撮影範囲を表しており、レンズ前玉の物体側の頂点から、撮影範囲３８までの距離をワーキングディスタンスｌとし、フィルター枠２１の外周面を２１ｃとしている。なお、外周面２１ｃは円筒形状をしている。これにより、フィルター枠２１を含むレンズ群が繰出した際も、外装部の隙間が変化せずに略一定に保たれ、隙間からのゴミや水滴や不要光の侵入を防ぐことができる。
【００５４】
レンズ前玉の物体側の頂点を通り、光軸Ｏに垂直な平面と外周面２１ｃとの交点をＡとし、撮影範囲３８と光軸Ｏとの交点をＢとし、図６（ｂ）に示すようにＢとＡを結んだ線を線ｍとする。このとき、本実施例では、線ｍの内側（撮像面側）にレンズの構成要素がすべて収まるように構成されている。
【００５５】
従来の構成では、点Ａの位置にフィルターレンズ等を取り付ける為のフィルターねじが構成される為、点Ａよりも外側（物体側）にレンズの構成要素がくる。これに対して本実施例では、後述のようにフィルター枠をＬＥＤ部の内側に構成する等の工夫により、線ｍの内側にレンズを構成することができている。また、当然ながら外周面２１ｃはレンズの最外径よりも細くなっている。そのフィルター枠２１の外周面２１ｃが撮影状態で繰出すことにより、繰出し部分は一段細くすることができている。これにより、マニュアルフォーカスリングユニット１９の先端外周部１９ａも線ｍの内側（撮像面側）に納めることができている。
【００５６】
また、フィルター枠２１は外周面２１ｃが最外径部になっているため、繰出した際はそれ以上出っ張りがなく、先細りのシルエットを出す為に最適である。また、沈胴した場合にはフィルター枠２１は側面側から見えないところまで内部に収納される。これにより、沈胴時は、図６（ａ）のように、先端側がフラットなシルエットを実現でき、デザイン性の向上に寄与している。
【００５７】
（レンズフードの構成）
図７を用いてレンズフード４０（アクセサリ）の構成について説明する。図７（ａ）〜（ｄ）は、前述のように先端に照明装置を有する光学機器としての交換レンズ２００に装着可能なレンズフード４０を各方向から見た際の図である。
【００５８】
図７において、４０１は外壁部４０ｄの一部であって外壁部４０ｄの開口部４０ｇの側に設けられた第１の接続部である。第１の接続部４０１は、不図示の保護フィルターやレンズキャップなどに設けられた雄ねじと嵌合する雌ねじ４０ｂ（第１のねじ部）と、ねじの切られていない平坦なねじ逃げ部（第１の平坦部）４０ｈとを備えている。
【００５９】
４０２は第１の接続部４０１よりも開口部４０ｇ側に設けられ、前述の交換レンズ２００と接続する第２の接続部である。第２の接続部４０２は、前述の雌ねじであるフィルターねじ２１ａと嵌合し、開口部４０ｇの内周面から外壁部４０ｄの幅方向へ伸びる雄ねじ４０ａ（第２のねじ部）と、ねじの切られていない平坦なねじ逃げ部（第２の平坦部）４０ｉを備えている。さらに、第２の接続部４０２は勘合部４０ｅも備えている。なお、ここでいう外壁部４０ｄの幅方向とは図７（ｄ）に示す幅Ｄ１の方向を示しており、本実施例ではマスク部４０ｆの法線と平行である。レンズフード４０を交換レンズ２００に装着した際には、交換レンズ２００の光軸と外壁部４０ｄの幅方向が平行となる。
【００６０】
４０ｃは交換レンズ２００への不要光を遮る遮光部であり、遮光部４０ｃによって撮影結果に有害となるゴーストやフレアを抑制することができる。なお、ゴーストやフレアの原因となる不要光をカットできれば、遮光部４０ｃによって開口部４０ｇの開口径が最も被写体側のレンズのレンズ径よりも大きくなっていてもよい。
【００６１】
４０ｄは外壁部であり、前述のフィルター枠２１の外周面２１ｃと略同径の円筒形状となっており、図１に示すようにレンズフード４０が交換レンズ２００に装着された際に交換レンズ２００の側面を覆うように構成されている。なお、外壁部４０ｄは第２のねじ部４０ａと少なくとも光軸方向においてオーバラップする位置関係にあり、かつ第２のねじ部４０ａよりも外径側にある。
【００６２】
つまり、図７（ｄ）に示すように外壁部４０ｄの幅Ｄ１は第２の接続部４０２の幅Ｄ２よりも広く、外壁部４０ｄが第２の接続部４０２を覆うように構成されている。このような構成を取ることによってレンズフード４０単体を机等に安定して置くことができ、かつ第２の接続部４０２が外壁部４０ｄよりも突出しないため、デザイン性を向上させることもできる。さらに、外壁部４０ｄの表面には複数の溝が設けられているため、ユーザーがレンズフード４０を回しやすくなっている。
【００６３】
４０ｅは、レンズフード４０が交換レンズ２００に装着される際に第２の接続部４０２よりも先に交換レンズ２００に接し、表面が平坦な勘合部である。より具体的には、勘合部４０ｅは交換レンズ２００の先端のフィルターねじ２１ａのねじ山径よりも小さい円筒形状の勘合部である。これにより、レンズフード４０を交換レンズ２００に装着する際に、第２のねじ部４０ａがフィルターねじ２１ａと嵌合する前に、勘合部４０ｅがフィルターねじ２１ａのねじ山に先に接触する。その結果、レンズフード４０が安定した状態で交換レンズ２００へ装着することが可能となり、さらにレンズフード４０が安定することで外壁部４０ｄの端部が交換レンズ２００に接触して交換レンズ２００の先端が傷つくことを抑制できる。
【００６４】
４０ｆはマスク部（光源遮光部）であり、第１の接触部４０１と第２の接触部４０２との間に設けられ、両接続部を繋ぐフランジ部でもある。前述の図１に示したように、マスク部４０ｆは、レンズフード４０が交換レンズ２００に装着された際に、光軸方向視において照明装置の発光部全体を覆うように構成されている。そのためにマスク部４０ｆは交換レンズ２００の光軸を含む断面の交換レンズ２００の光軸と直交する方向において照明装置の発光部の幅Ｌ１よりも広い幅を有している。ここでいう発光部の幅とは、図７（ｅ）に示すように前述のライトガイド２３０の幅を意味する。あるいは、拡散部材２２の幅をＬ１としてもよい。なお、本実施例とは異なる複数の発光点が円環状に並んだ照明装置の場合には複数の発光点の幅をＬ１としてもよい。
【００６５】
より具体的には、第１のねじ部４０ｂの径をφ１とし、第２のねじ部４０ａの径をφ２とし、照明装置の発光部の幅をＬ１とする。このとき、レンズフード４０は、
φ１＞φ２
（φ１−φ２）／２＞Ｌ１
を満足するように構成されている。なお、本実施例において第１のねじ部４０ｂの径φ１及び第２のねじ部４０ａの径φ２は、呼び径である。また、ここでいう呼び径とは雄ねじの場合にはねじ部の最大径であるねじ山部の径であり、雌ねじの場合にはねじ部の谷の径である。例として本実施例ではＬ１＝５ｍｍ、φ１＝４３ｍｍ、φ２＝２２ｍｍであるため、上記の条件式を満たしている。
【００６６】
この結果、前述のようにマスク部４０ｆが発光部全体を覆うことができる。ここでいう発光部全体が覆われるとは、レンズフード４０を交換レンズ２００に装着した際に、交換レンズ２００の光軸方向視においてＬＥＤライト部、より詳細にはライトガイド２３０が隠れて見えない状態を意味する。つまり、本実施例において照明装置の発光部とは拡散部材２２あるいはその下にあるライドガイド２３０を意味する。本実施例とは異なり、複数の発光点を備える照明装置の場合には複数の発光点を発光部としてもよい。もちろん、完全に隠れて見えないようにする必要はなく、発光部全体からの光を遮光する、あるいは発光部に入射する光を発光部全体において遮光すればよい。
【００６７】
（レンズ先端に設けた照明装置による画質劣化の抑制）
前述のように、近接（マクロ）撮影の為にレンズ先端に照明装置を設け、照明装置中の表面の反射率が高い場合に反射率の高い被写体（ガラス等）を撮影したとする。この場合、照明装置が非発光であったとしてもＬＥＤや導光部材などが意図せず写真に写り込んでしまい、撮影の障害となる場合がある。このような画質の劣化に対して、本実施例でのレンズフード４０をレンズに装着することで発光部全体を覆い隠せるので、ＬＥＤや導光部材が意図せず写真に写り込んでしまう事を抑制することができる。より具体的には、前述の条件式を満足する寸法に設定することで、画質の劣化を抑制することができる。
【００６８】
さらに、レンズフード４０は前述の写りこみ抑制効果に加えて、遮光部４０ｃを備えることでゴーストやフレアの抑制といったフード効果を有し、さらに、第１の接続部４０１に保護フィルターやキャップといった新たなアクセサリを接続することができる。このようにレンズフード４０は複数の機能を兼用しているアクセサリであるため、新しい部品を増やさずに複数の機能が得られ、部品増によるコスト増大を抑制することができる。さらに、ユーザーにとっても、複数の機能部品を使いわける煩わしさがない。
【００６９】
なお、図７に示すように光源遮光部としてのマスク部４０ｆの被写体側の面には、第１の領域とこの第１の領域よりも開口部４０ｇに近い第２の領域があり、第１の領域は第２の領域よりも低くなっている。このような形状とすることで、ねじ逃げ部４０ｈを設けつつ、レンズフード４０の短縮化（薄型化）が可能となる。
【００７０】
（変形例）
外壁部４０ｄは本実施例では円筒部としたが、これに限らず、例えば側面が円錐上に傾斜していてもよい。また、マスク部４０ｆは本実施例では、前面にローレットを施した平面円盤上となっているが、発光部全体を覆い隠すことができれば、円錐上など傾斜した形でもよい。さらに、マスク部４０ｆ以外の箇所に貫通穴などが空いていてもよい。
【００７１】
（他の実施形態）
前述の実施例においては、照明装置として拡散部材２２と、ライトガイド２３０と、光源としてＬＥＤ２７０を備える構成を例示したが、照明装置の構成はこのような構成に限定されるものではない。例えば、リング形状のキセノン管、蛍光管、ハロゲンランプ、有機ＥＬを備える構成であっても、水銀ランプや白色ＬＥＤなどを円環状に複数配置した構成であってもよい。
【００７２】
なお、前述の実施例においては、先端に照明装置を備える光学機器の構成を例示した。ここでいう先端に照明装置を備えるとは、図１に示すように交換レンズ２００のうち最も被写体側の面に発光部、より具体的には拡散部材２２があることを意味している。しかしながら、本発明はこのような構成に限られず、交換レンズ２００のうち最も被写体側の面の付近に照明装置がある構成であってもよい。例えば、交換レンズ２００のうち最も径が細い部分に照明装置が設けられている構成などであってもよい。さらに、交換レンズ２００が備える複数のレンズのうち最も被写体側のレンズの撮像素子側の面と交換レンズ２００のうち最も被写体側の面との間に照明装置がある構成などであってもよい。
【符号の説明】
【００７３】
４０  レンズフード（アクセサリ）
４０ｆ  マスク部（光源遮光部）
４０ｇ  開口部
【図１】
0006711633.tif 000002
【図２】
0006711633.tif 000003
【図３】
0006711633.tif 000004
【図４】
0006711633.tif 000005
【図５】
0006711633.tif 000006
【図６】
0006711633.tif 000007
【図７】
0006711633.tif 000008